(57)【要約】【課題】メーターを容易に撮影することができる携帯型検針装置を得る。【解決手段】メーター３の表示内容を調べる検針作業が行われる際に用いられる携帯型検針装置１であって、メーター３を撮影するカメラ１１と、カメラ１１が取り付けられる取付部１２１および作業者により把持される把持部１２２を有した竿部材１２と、取付部１２１と把持部１２２との間の竿部材１２の部分を曲げる変形装置１３とを備え、変形装置１３は、把持部１２２に設けられた竿角度調整ダイヤル１３１と、取付部１２１と把持部１２２との間の竿部材１２の部分に接続されるとともに、竿角度調整ダイヤル１３１に巻き掛けられたワイヤ１３２とを有し、竿角度調整ダイヤル１３１が回転することにより、ワイヤ１３２の張力が変化して、取付部１２１と把持部１２２との間の竿部材１２の部分の曲げ量を変化させる。【選択図】図１
2013196128.tif 000002
【特許請求の範囲】
【請求項１】
メーターの表示内容を調べる検針作業が行われる際に用いられる携帯型検針装置であって、
前記メーターを撮影するカメラと、
前記カメラが取り付けられる取付部および作業者により把持される把持部を有した竿部材と、
前記取付部と前記把持部との間の前記竿部材の部分を曲げる変形装置と
を備え、
前記変形装置は、前記把持部に設けられたリールと、前記取付部と前記把持部との間の前記竿部材の部分に接続されるとともに、前記リールに巻き掛けられたワイヤとを有し、前記リールが回転することにより、前記ワイヤの張力が変化して、前記取付部と前記把持部との間の前記竿部材の部分の曲げ量を変化させることを特徴とする携帯型検針装置。
【請求項２】
前記竿部材は、前記取付部と前記把持部との間の前記竿部材の部分であって、前記竿部材が曲げられた場合に曲率中心側となる前記竿部材の面に、周方向に延びた切り込みが形成されていることを特徴とする請求項１に記載の携帯型検針装置。
【請求項３】
前記変形装置は、前記竿部材の長手方向についての複数箇所において、前記取付部と前記把持部との間の前記竿部材の部分を曲げることを特徴とする請求項１または請求項２に記載の携帯型検針装置。
【請求項４】
前記竿部材は、前記取付部と前記把持部との間の前記竿部材の部分が、前記竿部材の長手方向について伸縮可能となっていることを特徴とする請求項１ないし請求項３の何れか１項に記載の携帯型検針装置。
【請求項５】
前記リールを回転させるモータと、複数の作業現場のそれぞれに対応する前記竿部材の曲げ量の情報を記憶する記憶部と、前記把持部に設けられ、前記作業現場を特定する情報が入力される情報入力部とを有した操作装置をさらに備え、
前記操作装置は、前記作業現場を特定する情報が前記情報入力部に入力されることにより、前記作業現場に対応する前記竿部材の曲げ量となるように、前記モータが前記リールを回転させることを特徴とする請求項１ないし請求項４の何れか１項に記載の携帯型検針装置。
【請求項６】
前記カメラは、カメラ本体と、前記カメラ本体により撮影された前記メーターの画像の情報を外部に送信する送信装置とを有していることを特徴とする請求項１ないし請求項５の何れか１項に記載の携帯型検針装置。
【発明の詳細な説明】
【技術分野】
【０００１】
この発明は、メーターの表示内容を調べる検針作業が行われる際に用いられる携帯型検針装置に関する。
【背景技術】
【０００２】
従来、メーターを撮影するカメラと、このカメラを収容する筐体とを備え、検針作業を行う作業者に把持される携帯型検針装置が知られている。作業者は、カメラがメーターに近づくように携帯型検針装置を移動させた後、メーターを撮影する（例えば、特許文献１参照）。
【先行技術文献】
【特許文献】
【０００３】
【特許文献１】特開２００７−１１６６５号公報
【発明の概要】
【発明が解決しようとする課題】
【０００４】
しかしながら、例えば、メーターと作業者との間に塀が設置されている場合には、作業者は、メーターの撮影が可能となる程度にカメラをメーターに近づけるために、塀を乗り越えなければならない。その結果、メーターを撮影することが困難であるという問題点があった。
【０００５】
この発明は、メーターを容易に撮影することができる携帯型検針装置を提供するものである。
【課題を解決するための手段】
【０００６】
この発明に係る携帯型検針装置は、メーターの表示内容を調べる検針作業が行われる際に用いられる携帯型検針装置であって、前記メーターを撮影するカメラと、前記カメラが取り付けられる取付部および作業者により把持される把持部を有した竿部材と、前記取付部と前記把持部との間の前記竿部材の部分を曲げる変形装置とを備え、前記変形装置は、前記把持部に設けられたリールと、前記取付部と前記把持部との間の前記竿部材の部分に接続されるとともに、前記リールに巻き掛けられたワイヤとを有し、前記リールが回転することにより、前記ワイヤの張力が変化して、前記取付部と前記把持部との間の前記竿部材の部分の曲げ量を変化させる。
【発明の効果】
【０００７】
この発明に係る携帯型検針装置によれば、メーターを撮影するカメラと、カメラが取り付けられる取付部および作業者により把持される把持部を有した竿部材と、取付部と把持部との間の竿部材の部分を曲げる変形装置とを備え、変形装置は、把持部に設けられたリールと、取付部と把持部との間の竿部材の部分に接続されるとともに、リールに巻き掛けられたワイヤとを有し、リールが回転することにより、ワイヤの張力が変化して、取付部と把持部との間の竿部材の部分の曲げ量を変化させるので、例えば、メーターと作業者との間に塀が設置されている場合には、カメラが塀を乗り越えるように取付部と把持部との間の竿部材の部分を曲げることにより、メーターの撮影が可能となる程度にカメラをメーターに容易に近づけることができる。その結果、メーターを容易に撮影することができる。
【図面の簡単な説明】
【０００８】
【図１】この発明の実施の形態１に係る検針システムを示す正面図である。
【図２】図１のカメラを示すブロック図である。
【発明を実施するための形態】
【０００９】
実施の形態１．
図１はこの発明の実施の形態１に係る検針システムを示す正面図である。図において、検針システムは、携帯型検針装置１と、携帯型検針装置１との間で無線通信を行う携帯端末装置（外部）２とを備えている。携帯型検針装置１および携帯端末装置２は、壁１００に取り付けられたメーター３の表示内容を調べる検針作業が行われる際に用いられるものであり、検針作業の際に作業者に所持されるものである。
【００１０】
携帯型検針装置１は、メーター３を撮影するカメラ１１と、カメラ１１が取り付けられる竿部材１２と、竿部材１２に設けられた変形装置１３とを備えている。竿部材１２の先端部は、カメラ１１が取り付けられる取付部１２１となっている。竿部材１２の基端部は、作業者に把持される把持部１２２となっている。竿部材１２は、内部が空洞となっている。また、竿部材１２は、断面が円形状となっている。また、竿部材１２は、弾性を有している。
【００１１】
変形装置１３は、把持部１２２に設けられた３個の竿角度調整ダイヤル（リール）１３１と、取付部１２１と把持部１２２との間の竿部材１２の部分に接続されるとともに、別々の竿角度調整ダイヤル１３１に巻き掛けられた３本のワイヤ１３２とを有している。竿角度調整ダイヤル１３１は、竿部材１２の長手方向に並べて配置されている。また、竿角度調整ダイヤル１３１は、竿部材１２の周方向に回転するようになっている。ワイヤ１３２は、竿部材１２の内部に配置されている。変形装置１３は、竿角度調整ダイヤル１３１が回転することにより、ワイヤ１３２の張力を変化させる。変形装置１３は、ワイヤ１３２の張力が増加することにより、竿部材１２の弾性力に逆らって取付部１２１と把持部１２２との間の竿部材１２の部分を曲げる。
【００１２】
３本のワイヤ１３２のそれぞれは、竿部材１２の長手方向について並んで竿部材１２に接続されている。これにより、変形装置１３は、各ワイヤ１３２の張力を変化させることにより、竿部材１２の長手方向の３箇所において、取付部１２１と把持部１２２との間の竿部材１２の部分を別々に曲げることができる。
【００１３】
竿部材１２は、取付部１２１と把持部１２２との間の竿部材１２の部分であって、竿部材１２が曲げられた場合に曲率中心側となる竿部材１２の面に、周方向に延びた切り込み１２３が形成されている。切り込み１２３は、曲げられる竿部材１２の部分に対応して配置されている。これにより、竿部材１２を容易に曲げることができる。
【００１４】
竿部材１２は、長手方向に伸縮する伸縮部１２４を有している。伸縮部１２４は、釣竿のように、互いに異なる径を有する複数の筒部から構成されている。伸縮部１２４を伸縮させることにより、竿部材１２の長手方向の長さを変化させることができる。
【００１５】
図２は図１のカメラ１１を示すブロック図である。図において、カメラ１１は、メーター３（図１）を撮影するカメラ本体１１１と、カメラ本体１１１により撮影されたメーター３の画像の情報を携帯端末装置２に送信する送信装置１１２とを有している。携帯端末装置２は、表示部を有しており、受信したメーター３の画像を表示部に表示する。
【００１６】
次に、携帯型検針装置１を用いた検針作業について説明する。まず、作業者は、指定された作業現場において、竿部材１２の長さを調整する。
【００１７】
その後、作業者は、各竿角度調整ダイヤル１３１を回転させて、最適な形に竿部材１２を曲げ、メーター３の撮影が可能となる程度にカメラ１１をメーター３に近づける。
【００１８】
その後、作業者は、カメラ１１を用いてメーター３を撮影し、カメラ１１により撮影されたメーター３の画像の情報は、カメラ１１から携帯端末装置２に送信される。作業者は、携帯端末装置２に表示されたメーター３の画像を目視して、メーター３の表示内容を調べる。以上により、携帯型検針装置１を用いた検針方法が終了する。
【００１９】
以上説明したように、この発明の実施の形態１に係る携帯型検針装置１によれば、メーター３を撮影するカメラ１１と、カメラ１１が取り付けられる取付部１２１および作業者により把持される把持部１２２を有した竿部材１２と、取付部１２１と把持部１２２との間の竿部材１２の部分を曲げる変形装置１３とを備え、変形装置１３は、把持部１２２に設けられた竿角度調整ダイヤル１３１と、取付部１２１と把持部１２２との間の竿部材１２の部分に接続されるとともに、竿角度調整ダイヤル１３１に巻き掛けられたワイヤ１３２とを有し、竿角度調整ダイヤル１３１が回転することにより、ワイヤ１３２の張力が変化して、取付部１２１と把持部１２２との間の竿部材１２の部分の曲げ量を変化させるので、例えば、メーター３と作業者との間に塀が設置されている場合には、カメラ１１が塀を乗り越えるように取付部１２１と把持部１２２との間の竿部材１２の部分を曲げることにより、メーター３の撮影が可能となる程度にカメラ１１をメーターに容易に近づけることができる。その結果、メーター３を容易に撮影することができる。
【００２０】
また、竿部材１２は、取付部１２１と把持部１２２との間の竿部材１２の部分であって、竿部材１２が曲げられた場合に曲率中心側となる竿部材１２の面に、周方向に延びた切り込み１２３が形成されているので、竿部材１２を容易に曲げることができる。
【００２１】
また、変形装置１３は、竿部材１２の長手方向についての複数箇所において、取付部１２１と把持部１２２との間の竿部材１２の部分を曲げるので、メーター３の設置場所に対応して、竿部材１２をより自由に曲げることができる。
【００２２】
また、竿部材１２は、取付部１２１と把持部１２２との間の竿部材１２の部分が、竿部材１２の長手方向について伸縮可能となっているので、メーター３の設置場所に対応して、竿部材１２をより自由に伸縮させることができる。
【００２３】
また、カメラ１１は、カメラ本体１１１と、カメラ本体１１１により撮影されたメーター３の画像の情報を携帯端末装置２に送信する送信装置１１２とを有しているので、携帯端末装置２の表示部に、カメラ本体１１１により撮影されたメーター３の画像を表示させることができる。これにより、検針作業を行う作業者は、携帯端末装置２を所持することにより、容易に、メーターの表示内容を調べることができる。
【００２４】
なお、上記実施の形態１では、作業者がリールである竿角度調整ダイヤル１３１を回転させる携帯型検針装置１の構成について説明したが、これに限らず、リールを回転させるモータと、複数の作業現場のそれぞれに対応する竿部材１２の曲げ量の情報を記憶する記憶部と、把持部１２２に設けられ、作業現場を特定する情報が入力される情報入力部とを有した操作装置をさらに備えた携帯型検針装置１の構成であってもよい。この場合、操作装置が、作業現場を特定する情報が情報入力部に入力されることにより、作業現場に対応する竿部材１２の曲げ量となるように、モータがリールを回転させる。これにより、作業者は、作業現場に対応した竿部材１２の曲げ量に容易に調整することができる。その結果、検針作業の効率化を図ることができる。
【００２５】
また、上記実施の形態１では、それぞれの曲率中心が竿部材１２を中心にして同一側に位置するように竿部材１２が複数箇所で曲げられる携帯型検針装置１の構成、つまり、竿部材１２がＣ字形状に曲げられる携帯型検針装置１の構成について説明について説明したが、曲げられる竿部材１２の複数の部分のうち、１つの部分の曲率中心が竿部材１２を中心にして他の部分の曲率中心と反対側に位置するように竿部材１２が曲げられてもよい。つまり、例えば、竿部材１２がＳ字形状に曲げられる携帯型検針装置１の構成であってもよい。この場合、竿部材１２が曲げられる部分のそれぞれに、ワイヤ１３２が２本ずつ、それぞれが対向するように接続される。
【００２６】
また、上記実施の形態１では、カメラ１１が上下方向に移動するように竿部材１２が曲がる携帯型検針装置１の構成について説明したが、上下方向に加えて、左右方向についてもカメラ１１が移動するように竿部材１２が曲がる携帯型検針装置であってもよい。
【符号の説明】
【００２７】
１  携帯型検針装置、２  携帯端末装置（外部）、３  メーター、１１  カメラ、１２  竿部材、１３  変形装置、１００  壁、１１１  カメラ本体、１１２  送信装置、１２１  取付部、１２２  把持部、１２３  切り込み、１２４  伸縮部、１３１  竿角度調整ダイヤル（リール）、１３２  ワイヤ。
【図１】
2013196128.tif 000003
【図２】
2013196128.tif 000004